(57)【要約】【課題】記録媒体の排出を行う際に、投写される画像光によって眩しさを感じてしまうことを抑制可能なプロジェクター及びその制御方法を提供する。【解決手段】プロジェクター１は、ＤＶＤメディアＭに記録されている画像情報を再生するＤＶＤ再生部２５と、光源装置１１から射出された光を画像情報に基づいて変調して画像光を形成する液晶ライトバルブ１２Ｒ，１２Ｇ，１２Ｂと、これらを収容する筐体と、筐体から露出して、形成された画像光を外部に投写する投写レンズ１３と、投写レンズ１３が露出する面と同一方向を向いた面に設けられたディスクスロットと、ディスクスロットからＤＶＤメディアＭを排出するためのイジェクトキーの操作を検出する本体操作部２２と、本体操作部２２がイジェクトキーの操作を検出した場合に、外部に投写される画像光の明るさを低減させる制御部２０と、を備えたことを特徴とする。【選択図】図２
2011013522.tif 000002
【特許請求の範囲】
【請求項１】
記録媒体に記録されている画像情報を再生する画像再生部と、
光源装置から射出された光を、前記画像再生部が再生する前記画像情報に基づいて変調して画像光を形成する光変調装置と、
前記画像再生部及び前記光変調装置を収容する筐体と、
前記筐体から露出して、前記光変調装置で形成された前記画像光を外部に投写する投写光学系と、
前記記録媒体の挿入及び排出を行うために、前記筐体の前記投写光学系が露出する面と同一方向を向いた面に設けられた記録媒体交換部と、
前記記録媒体交換部から前記記録媒体を排出するための排出操作を検出する排出操作検出部と、
前記排出操作検出部が前記排出操作を検出した場合に、外部に投写される前記画像光の明るさを低減させる制御部と、
を備えたことを特徴とするプロジェクター。
【請求項２】
請求項１に記載のプロジェクターであって、
前記記録媒体交換部を照明可能に備えられた照明部をさらに備え、
前記制御部は、前記排出操作検出部が前記排出操作を検出した場合に、前記照明部に前記記録媒体交換部を照明させることを特徴とするプロジェクター。
【請求項３】
請求項１又は２に記載のプロジェクターであって、
前記筐体の外部への前記画像光の投写を遮蔽可能なカバー部材と、
前記カバー部材を駆動して、前記画像光の投写を遮蔽する閉状態、及び前記画像光を前記筐体の外部に投写させる開状態とを切り替えるカバー駆動部と、
をさらに備え、
前記制御部は、前記排出操作検出部が前記排出操作を検出した場合に、前記カバー駆動部に前記カバー部材を駆動させて、前記開状態から前記閉状態に切り替えさせることを特徴とするプロジェクター。
【請求項４】
請求項１〜３のいずれか１項に記載のプロジェクターであって、
前記光源装置の明るさを調整する光源制御部をさらに備え、
前記制御部は、前記排出操作検出部が前記排出操作を検出した場合に、前記光源制御部に前記光源装置の明るさを低減させることを特徴とするプロジェクター。
【請求項５】
請求項１〜４のいずれか１項に記載のプロジェクターであって、
前記記録媒体を挿入するための挿入操作を検出する挿入操作検出部をさらに備え、
前記制御部は、前記排出操作検出部が前記排出操作を検出して、外部に投写される前記画像光の明るさを低減させている状態で、前記挿入操作検出部が前記挿入操作を検出した場合には、外部に投写される前記画像光の明るさを復帰させることを特徴とするプロジェクター。
【請求項６】
請求項５に記載のプロジェクターであって、
前記制御部は、前記排出操作検出部が前記排出操作を検出して、外部に投写される前記画像光の明るさを低減させている状態で、前記挿入操作検出部が前記挿入操作を所定時間検出しなかった場合には、前記光源装置を消灯させることを特徴とするプロジェクター。
【請求項７】
記録媒体に記録されている画像情報を再生する画像再生部と、光源装置から射出された光を、前記画像再生部が再生する前記画像情報に基づいて変調して画像光を形成する光変調装置と、前記画像再生部及び前記光変調装置を収容する筐体と、前記筐体から露出して、前記光変調装置で形成された前記画像光を外部に投写する投写光学系と、前記記録媒体の挿入及び排出を行うために、前記筐体の前記投写光学系が露出する面と同一方向を向いた面に設けられた記録媒体交換部と、を備えたプロジェクターの制御方法であって、
前記記録媒体交換部から前記記録媒体を排出するための排出操作を検出する排出操作検出ステップと、
前記排出操作検出ステップで前記排出操作が検出された場合に、外部に投写される前記画像光の明るさを低減させる減光ステップと、
を備えたことを特徴とするプロジェクターの制御方法。
【請求項８】
請求項７に記載のプロジェクターの制御方法であって、
前記排出操作検出ステップで前記排出操作が検出された場合に、前記記録媒体交換部を照明する照明ステップをさらに備えたことを特徴とするプロジェクターの制御方法。
【発明の詳細な説明】
【技術分野】
【０００１】
本発明は、記録媒体に記録されている画像情報を再生する画像再生部を備えたプロジェクター及びその制御方法に関する。
【背景技術】
【０００２】
画像光を投写するプロジェクターにおいて、ＤＶＤ（Digital Versatile Disc）やブルーレイディスク等の記録媒体から画像情報を読み出して再生する画像再生手段を一体的に備えたものが知られている（例えば、特許文献１参照）。このようなプロジェクターを用いれば、外部の画像再生装置を接続することなく、記録媒体に記録されている画像情報に基づく画像を容易に鑑賞することが可能となる。また、特許文献１に記載のプロジェクターでは、画像の鑑賞を中断する場合等にユーザーが所定の操作を行うと、画像の再生を停止するとともに、明るい画像を投写するようになっており、暗い環境下で画像を鑑賞していた場合でも、照明機器を点灯することなく、投写画像によって周囲を明るくすることが可能になっている。
【先行技術文献】
【特許文献】
【０００３】
【特許文献１】特開２００５−９４４７５号公報
【発明の概要】
【発明が解決しようとする課題】
【０００４】
しかしながら、上記のようなプロジェクターにおいて、画像光が投写される投写レンズと、記録媒体の挿入や排出を行うための記録媒体交換部（挿入口）とが、同一方向を向いて備わっている場合には、記録媒体の挿入や排出を行う際に、誤って投写レンズを直視してしまって、激しい眩しさを感じてしまう恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、記録媒体に記録されている画像情報を再生する画像再生部と、光源装置から射出された光を、前記画像再生部が再生する前記画像情報に基づいて変調して画像光を形成する光変調装置と、前記画像再生部及び前記光変調装置を収容する筐体と、前記筐体から露出して、前記光変調装置で形成された前記画像光を外部に投写する投写光学系と、前記記録媒体の挿入及び排出を行うために、前記筐体の前記投写光学系が露出する面と同一方向を向いた面に設けられた記録媒体交換部と、前記記録媒体交換部から前記記録媒体を排出するための排出操作を検出する排出操作検出部と、前記排出操作検出部が前記排出操作を検出した場合に、外部に投写される前記画像光の明るさを低減させる制御部と、を備えたことを特徴とする。
【０００７】
このプロジェクターによれば、記録媒体を排出するための操作が検出された場合に、制御部は、外部に投写される画像光の明るさを低減させるため、記録媒体の排出を行おうとしているユーザーが、投写光学系から投写される画像光によって眩しさを感じてしまうことが抑制される。
【０００８】
［適用例２］上記適用例に係るプロジェクターにおいて、前記記録媒体交換部を照明可能に備えられた照明部をさらに備え、前記制御部は、前記排出操作検出部が前記排出操作を検出した場合に、前記照明部に前記記録媒体交換部を照明させることが望ましい。
【０００９】
このプロジェクターによれば、記録媒体を排出するための操作が検出された場合に、制御部は、照明部に記録媒体交換部を照明させるため、外部に投写される画像光の明るさを低減した状況下であっても、記録媒体の挿入又は排出を容易に行うことが可能となる。
【００１０】
［適用例３］上記適用例に係るプロジェクターにおいて、前記筐体の外部への前記画像光の投写を遮蔽可能なカバー部材と、前記カバー部材を駆動して、前記画像光の投写を遮蔽する閉状態、及び前記画像光を前記筐体の外部に投写させる開状態とを切り替えるカバー駆動部と、をさらに備え、前記制御部は、前記排出操作検出部が前記排出操作を検出した場合に、前記カバー駆動部に前記カバー部材を駆動させて、前記開状態から前記閉状態に切り替えさせることが望ましい。
【００１１】
このプロジェクターによれば、記録媒体を排出するための操作が検出された場合に、制御部は、画像光の投写をカバー部材によって遮蔽させるため、光源装置の明るさを調整することなく、外部に投写される画像光の明るさを十分に低減させることが可能となる。このため、例えば、明るさの調整を瞬間的に行うことが困難な放電型の光源ランプを光源装置に用いることも可能となる。
【００１２】
［適用例４］上記適用例に係るプロジェクターにおいて、前記光源装置の明るさを調整する光源制御部をさらに備え、前記制御部は、前記排出操作検出部が前記排出操作を検出した場合に、前記光源制御部に前記光源装置の明るさを低減させるようにしてもよい。
【００１３】
このプロジェクターによれば、記録媒体を排出するための操作が検出された場合に、制御部は、光源装置の明るさを低減させることによって、外部に投写される画像光の明るさを低減させるため、排出操作中の消費電力を抑制することが可能となる。
【００１４】
［適用例５］上記適用例に係るプロジェクターにおいて、前記記録媒体を挿入するための挿入操作を検出する挿入操作検出部をさらに備え、前記制御部は、前記排出操作検出部が前記排出操作を検出して、外部に投写される前記画像光の明るさを低減させている状態で、前記挿入操作検出部が前記挿入操作を検出した場合には、外部に投写される前記画像光の明るさを復帰させることが望ましい。
【００１５】
このプロジェクターによれば、排出操作がなされて画像光の明るさを低減させている状態で、記録媒体が挿入されると、画像光の明るさが元に戻るため、新たに挿入された記録媒体に基づく画像を即座に鑑賞することが可能となり、利便性が向上する。
【００１６】
［適用例６］上記適用例に係るプロジェクターにおいて、前記制御部は、前記排出操作検出部が前記排出操作を検出して、外部に投写される前記画像光の明るさを低減させている状態で、前記挿入操作検出部が前記挿入操作を所定時間検出しなかった場合には、前記光源装置を消灯させることが望ましい。
【００１７】
このプロジェクターによれば、排出操作がなされて画像光の明るさを低減させている状態で、記録媒体の挿入が所定時間なされない場合には、光源装置を消灯させるため、無駄な消費電力を抑制することが可能となる。
【００１８】
［適用例７］本適用例に係るプロジェクターの制御方法は、記録媒体に記録されている画像情報を再生する画像再生部と、光源装置から射出された光を、前記画像再生部が再生する前記画像情報に基づいて変調して画像光を形成する光変調装置と、前記画像再生部及び前記光変調装置を収容する筐体と、前記筐体から露出して、前記光変調装置で形成された前記画像光を外部に投写する投写光学系と、前記記録媒体の挿入及び排出を行うために、前記筐体の前記投写光学系が露出する面と同一方向を向いた面に設けられた記録媒体交換部と、を備えたプロジェクターの制御方法であって、前記記録媒体交換部から前記記録媒体を排出するための排出操作を検出する排出操作検出ステップと、前記排出操作検出ステップで前記排出操作が検出された場合に、外部に投写される前記画像光の明るさを低減させる減光ステップと、を備えたことを特徴とする。
【００１９】
このプロジェクターの制御方法によれば、記録媒体を排出するための操作が検出された場合に、外部に投写される画像光の明るさを低減させるため、記録媒体の排出を行おうとしているユーザーが、投写光学系から投写される画像光によって眩しさを感じてしまうことが抑制される。
【００２０】
［適用例８］上記適用例に係るプロジェクターの制御方法において、前記排出操作検出ステップで前記排出操作が検出された場合に、前記記録媒体交換部を照明する照明ステップをさらに備えることが望ましい。
【００２１】
このプロジェクターの制御方法によれば、記録媒体を排出するための操作が検出された場合に、記録媒体交換部を照明するため、投写される画像光の明るさを低減した状況下であっても、記録媒体の挿入又は排出を容易に行うことが可能となる。
【００２２】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００２３】
【図１】第１実施形態のプロジェクターの斜視図。
【図２】第１実施形態のプロジェクターの回路構成を示すブロック図。
【図３】第１実施形態のプロジェクターにおいてスタンバイ状態で電源キーが操作された際の動作を示すフローチャート。
【図４】第１実施形態のプロジェクターにおいてイジェクトキーが操作された際の動作を示すフローチャート。
【図５】第２実施形態のプロジェクターにおいてイジェクトキーが操作された際の動作を示すフローチャート。
【図６】（ａ）、（ｂ）は、変形例に係るプロジェクターの斜視図。
【図７】変形例に係るプロジェクターを上方から見た部分断面図。
【発明を実施するための形態】
【００２４】
（第１実施形態）
以下、第１実施形態のプロジェクターについて、図面を参照して説明する。本実施形態のプロジェクターは、ＤＶＤ（Digital Versatile Disc）を再生可能なＤＶＤ再生部を備えており、ＤＶＤメディアに記録されている画像情報に基づく画像を投写することができる。
【００２５】
図１は、本実施形態のプロジェクターの斜視図である。
図１に示すように、プロジェクター１は、外装を構成する筐体２によって装置本体が覆われた構成を有している。プロジェクター１は、外部のスクリーン等に画像（画像光）を投写する投写レンズ１３を有しており、筐体２の前面２ｆには、投写レンズ１３を露出させるための開口部３が形成されている。
【００２６】
開口部３には、カバー部材としてのレンズカバー４が開閉可能に備えられている。レンズカバー４は、電動でスライド移動ができるようになっており、レンズカバー４を閉じて開口部３を閉塞することによって、投写レンズ１３の射出面を保護することができる。また、レンズカバー４を開いて開口部３を開放させれば、投写レンズ１３が露出し、画像光を筐体２の外部に投写することが可能となる。
【００２７】
このレンズカバー４は、画像光の投写を遮蔽する目的にも用いられ、投写レンズ１３から画像光が投写されている状態でレンズカバー４が閉じられると、筐体２の外部への画像光の投写は遮られ、外部にほとんど光が射出されない状態となる。なお、レンズカバー４は、完全に光を遮蔽する構成である必要はなく、外部へ射出される光の明るさを低減できるものであればよい。
【００２８】
投写レンズ１３の下側には、記録媒体であるＤＶＤメディアＭを挿入するためのディスクスロット５と、ディスクスロット５の周辺を上方から照明する照明部３５が設けられている。つまり、ディスクスロット５及び照明部３５は、投写レンズ１３が露出する面（前面２ｆ）と同一面に備えられている。また、筐体２の前面２ｆには、リモコン２３から送信される操作信号を受信するための操作信号受信部２４も配置されている。
【００２９】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット５からＤＶＤメディアＭを排出するための操作キー（イジェクトキー４０）は、筐体２の前面２ｆ（ディスクスロット５の近傍）に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００３０】
図２は、プロジェクターの回路構成を示すブロック図である。
図２に示すように、プロジェクター１は、画像投写部１０、制御部２０、記憶部２１、本体操作部２２、リモコン２３、操作信号受信部２４、ＤＶＤ再生部２５、画像処理部３１、ライトバルブ駆動部３２、電源回路３３、光源制御部３４、照明部３５、カバー駆動部３６等を備えており、リモコン２３を除く各構成要素は、筐体２（図１参照）の内部に収容されている。
【００３１】
画像投写部１０は、光源装置１１、光変調装置としての３つの液晶ライトバルブ１２Ｒ，１２Ｇ，１２Ｂ、投写光学系としての投写レンズ１３等で構成されている。画像投写部１０は、画像表示部に相当するものであり、光源装置１１から射出された光を、液晶ライトバルブ１２Ｒ，１２Ｇ，１２Ｂで変調して画像（画像光）を形成し、この画像を投写レンズ１３から投写して外部のスクリーンＳＣ等に表示する。
【００３２】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部３２が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３から拡大投写される。
【００３４】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００３５】
記憶部２１は、マスクＲＯＭ（Read Only Memory）、フラッシュメモリー、又はＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３６】
本体操作部２２及びリモコン２３は、上述したように複数の操作キーを備えており、ユーザーの入力操作（操作キーの操作）を検出する入力操作部に相当する。複数の操作キーには、上述したイジェクトキー４０の他に、電源のオンとオフとを切り替えるための電源キーや、ＤＶＤメディアＭの再生を開始させるための再生キー、ＤＶＤメディアＭの再生を停止させるための停止キー等が含まれる。ユーザーが本体操作部２２の操作キーを操作すると、本体操作部２２は、操作された操作キーを検出し、この操作キーに応じた操作信号を制御部２０に出力する。また、ユーザーがリモコン２３の操作キーを操作すると、リモコン２３は、操作された操作キーに応じた赤外線の操作信号を発し、操作信号受信部２４がこれを検出して制御部２０に伝達する。
【００３７】
ＤＶＤ再生部２５は、筐体２の内部において、ディスクスロット５の近傍に配置されており、記録媒体（ＤＶＤメディアＭ）に記録された画像情報を再生する画像再生部に相当する。ＤＶＤ再生部２５は、挿入センサー２６、メディア搬送部２７、装着センサー２８、データ読取部２９及びデータ処理部３０等を含んで構成されている。
【００３８】
挿入センサー２６は、ディスクスロット５に近接して配置され、ＤＶＤメディアＭの一部がディスクスロット５に挿入されたことを検出して制御部２０に通知する。
【００３９】
メディア搬送部２７は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２５内におけるＤＶＤメディアＭの搬送を行う。具体的には、ユーザーがＤＶＤメディアＭの一部を外部からディスクスロット５に挿入し、挿入センサー２６がこの挿入を検出すると、制御部２０は、メディア搬送部２７に指示をして、ＤＶＤメディアＭを内部に取り込んで図示しないターンテーブル上に装着させる。また、ユーザーによりイジェクトキー４０が操作されると、制御部２０は、メディア搬送部２７に指示をして、ターンテーブルからＤＶＤメディアＭを離脱させ、ＤＶＤメディアＭをディスクスロット５から外部に排出させる。
【００４０】
装着センサー２８は、ターンテーブルの近傍に配置され、ターンテーブルにＤＶＤメディアＭが装着されていることを検出して制御部２０に通知する。
【００４１】
データ読取部２９は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部２９によって読み取られたデータストリームは、データ処理部３０に順次出力される。
【００４２】
データ処理部３０は、デマルチプレクサーやデコーダー等で構成され、制御部２０の指示に基づいて、データ読取部２９から入力されるデータストリームを画像情報と音声情報とに分離する処理や、分離した画像情報及び音声情報をデコード（復号化）する処理等を行う。データ処理部３０は、復号化された画像情報を画像処理部３１に出力し、復号化された音声情報を図示しない音声出力手段に出力する。なお、ＤＶＤ再生部２５が、ＤＶＤメディアＭからデータストリームを読み取って、このデータストリームに基づく画像情報を出力することを、本明細書では「画像情報を再生する」又は「ＤＶＤメディアＭを再生する」と表記する。
【００４３】
本体操作部２２又はリモコン２３が再生キーの操作を受け付けると、制御部２０は、ＤＶＤ再生部２５に指示をして、画像情報の再生を開始させる。また、本体操作部２２又はリモコン２３が停止キーの操作を受け付けると、制御部２０は、ＤＶＤ再生部２５に指示をして、画像情報の再生を停止させる。
【００４４】
挿入センサー２６及び装着センサー２８は、例えば、メカニカルスイッチ、光センサー、磁気センサー等の各種検出手段を用いて構成することができる。また、装着センサー２８に関しては、上記光ピックアップが受光する反射光の信号レベルによってＤＶＤメディアＭの装着の有無を検出する態様とすることも可能である。
【００４５】
画像処理部３１は、ＤＶＤ再生部２５から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等を調整するための画質調整処理等を行う。画像処理部３１で画質調整等がなされた画像情報は、ライトバルブ駆動部３２に出力される。
【００４６】
また、画像処理部３１は、制御部２０の指示に基づいて、所定の基準画像（例えば、黒色無地の画像等）を投写するための画像情報（基準画像情報）を出力可能になっている。制御部２０が基準画像の投写を指示すると、画像処理部３１は、ＤＶＤ再生部２５から入力される画像情報の内容に拘わらず、指示に応じた画像情報を生成し、生成した画像情報をライトバルブ駆動部３２に出力する。
【００４７】
ライトバルブ駆動部３２は、画像処理部３１から入力される画像情報に従って液晶ライトバルブ１２Ｒ，１２Ｇ，１２Ｂを駆動し、液晶ライトバルブ１２Ｒ，１２Ｇ，１２Ｂに、画像情報に応じた画像光を形成させる。これにより、画像情報に基づく画像光が投写レンズ１３からスクリーンＳＣに投写される。
【００４８】
電源回路３３には、ＡＣ１００Ｖ等の商用電源が外部から供給される。電源回路３３は、商用電源（交流電源）を所定の電圧の直流電源に変換して、プロジェクター１の各部に電力を供給する。また、電源回路３３は、制御部２０の指示に基づいて、画像の投写に必要な電力（動作電力）を各部に供給する状態（以降、「電源オン状態」と呼ぶ。）と、動作電力の供給を停止して、電源をオンにするための電源キーの操作を待機する状態（以降、「スタンバイ状態」又は「電源オフ状態」と呼ぶ。）とを切り替えることができる。
【００４９】
光源制御部３４は、制御部２０の指示に基づいて、光源装置１１に対する電力の供給と停止とを制御し、光源装置１１の点灯及び消灯を切り替える。
【００５０】
照明部３５は、ＬＥＤ（Light Emitting Diode）等の発光素子を備えて構成されており、制御部２０の指示に基づいて、ディスクスロット５の周辺を上方から照明する。
【００５１】
カバー駆動部３６は、制御部２０の指示に基づいてレンズカバー４の開閉動作を駆動するものであり、レンズカバー４を閉じて画像光の投写を遮蔽する閉状態と、レンズカバー４を開いて画像光を外部に投写させる開状態とを切り替えることができる。レンズカバー４を開閉させる構成としては、レンズカバー４にラックを形成し、このラックに噛合するピニオンを回転駆動する構成にしてもよいし、往復スライダークランク機構を利用した構成等、他の構成を採用するようにしてもよい。
【００５２】
次に、本実施形態のプロジェクター１の動作について説明する。
プロジェクター１に商用電源が供給されると、電源回路３３は、制御部２０、記憶部２１、本体操作部２２、操作信号受信部２４に電力（スタンバイ電力）の供給を行い、制御部２０は、この電力供給を受けて、制御プログラムに従った動作を開始する。商用電源が供給された直後には、プロジェクター１は、スタンバイ状態であり、この状態では、制御部２０は、光源装置１１及び照明部３５を消灯させた状態、且つレンズカバー４を閉じた状態で、本体操作部２２又はリモコン２３に備わる電源キーの操作を待機する。
【００５３】
図３は、スタンバイ状態で電源キーが操作された際のプロジェクター１の動作を示すフローチャートである。スタンバイ状態において本体操作部２２又はリモコン２３の電源キーがユーザーにより操作されると、制御部２０は、図３に示すフローに従って動作する。
【００５４】
図３に示すように、ステップＳ１０１では、制御部２０は、電源回路３３に指示をして、各部への動作電力の供給を開始させ、プロジェクター１を電源オン状態に移行させる。そして、ステップＳ１０２では、制御部２０は、光源制御部３４に指示をして光源装置１１を点灯させ、画像の投写が可能な状態とする。
【００５５】
ステップＳ１０３では、制御部２０は、装着センサー２８の検出結果に基づいて、ターンテーブルにＤＶＤメディアＭが装着されているか否かを判断する。そして、ＤＶＤメディアＭが装着されている場合には、ステップＳ１０４に移行し、ＤＶＤメディアＭが装着されていない場合には、ステップＳ１０６に移行する。
【００５６】
ターンテーブルにＤＶＤメディアＭが装着されていてステップＳ１０４に移行した場合には、制御部２０は、カバー駆動部３６に指示をして、レンズカバー４を開く。そして、ステップＳ１０５では、制御部２０は、ＤＶＤ再生部２５に指示をして、装着されているＤＶＤメディアＭの再生を開始させ、フローを終了する。この結果、ＤＶＤ再生部２５によって再生された画像情報に基づく画像（ＤＶＤ画像）が投写レンズ１３から外部に投写される。
【００５７】
一方、ターンテーブルにＤＶＤメディアＭが装着されておらずにステップＳ１０６に移行した場合には、制御部２０は、照明部３５を点灯させて、ディスクスロット５にＤＶＤメディアＭが挿入されるのを待機する。
【００５８】
続くステップＳ１０７では、制御部２０は、挿入センサー２６及び装着センサー２８の検出結果に基づいて、ディスクスロット５にＤＶＤメディアＭが挿入され、ターンテーブルに装着されたか否かを判断する。そして、ＤＶＤメディアＭが挿入された場合にはステップＳ１０８に移行し、挿入されていない場合には本ステップを繰り返す。
【００５９】
ＤＶＤメディアＭが挿入されてステップＳ１０８に移行した場合には、制御部２０は、照明部３５を消灯させてステップＳ１０４に移行する。その後、ステップＳ１０４でレンズカバー４を開き、ステップＳ１０５でＤＶＤメディアＭの再生を開始して、フローを終了する。この結果、新たに挿入されたＤＶＤメディアＭのＤＶＤ画像が投写レンズ１３から外部に投写される。
【００６０】
ＤＶＤ画像の鑑賞を終えた後、ユーザーは、本体操作部２２又はリモコン２３のイジェクトキー４０を操作することによって、鑑賞後のＤＶＤメディアＭを取り出すことができる。
【００６１】
図４は、イジェクトキー４０が操作された際のプロジェクター１の動作を示すフローチャートである。本体操作部２２又はリモコン２３のイジェクトキー４０がユーザーによって操作され、本体操作部２２又は操作信号受信部２４がこの操作を検出すると、制御部２０は、図４に示すフローに従って動作する。
【００６２】
図４に示すように、ステップＳ２０１では、制御部２０は、画像処理部３１に指示をして、基準画像情報を出力させ、画像投写部１０から基準画像（例えば、黒色無地の画像等）を投写させる。続くステップＳ２０２では、制御部２０は、カバー駆動部３６に指示をしてレンズカバー４を閉じ、画像光（基準画像）の投写を遮蔽する。そして、ステップＳ２０３では、制御部２０は、照明部３５を点灯させる。
【００６３】
ステップＳ２０４では、制御部２０は、ＤＶＤ再生部２５に指示をして、メディア搬送部２７にＤＶＤメディアＭを排出させ、ステップＳ２０５では、制御部２０は、ＤＶＤメディアＭを排出してからの時間を計測するために、タイマー２０ａによる計時を開始する。
【００６４】
ステップＳ２０６では、制御部２０は、挿入センサー２６及び装着センサー２８の検出結果に基づいて、新たなＤＶＤメディアＭがディスクスロット５に挿入され、ターンテーブルに装着されたか否かを判断する。そして、新たなＤＶＤメディアＭが挿入された場合にはステップＳ２０７に移行し、挿入されていない場合にはステップＳ２１０に移行する。
【００６５】
新たなＤＶＤメディアＭが挿入されてステップＳ２０７に移行した場合には、制御部２０は、照明部３５を消灯させ、ステップＳ２０８では、カバー駆動部３６に指示をしてレンズカバー４を開き、画像光が外部に投写される状態に復帰させる。そして、ステップＳ２０９では、制御部２０は、ＤＶＤ再生部２５に指示をして、ＤＶＤメディアＭの再生を開始させ、フローを終了する。この結果、新たに挿入されたＤＶＤメディアＭのＤＶＤ画像が投写レンズ１３から外部に投写される。
【００６６】
一方、ＤＶＤメディアＭが挿入されずにステップＳ２１０に移行した場合には、制御部２０は、タイマー２０ａの計時結果に基づいて、ステップＳ２０４でＤＶＤメディアＭを排出してから所定時間が経過したか否かを判断する。そして、所定時間が経過していない場合にはステップＳ２０６に戻り、所定時間が経過した場合にはステップＳ２１１に移行する。
【００６７】
ＤＶＤメディアＭを排出してから所定時間が経過してステップＳ２１１に移行した場合には、制御部２０は、照明部３５を消灯し、ステップＳ２１２では、光源制御部３４に指示をして光源装置１１を消灯させる。そして、ステップＳ２１３では、制御部２０は、電源回路３３に指示をして、各部への動作電力の供給を停止させてフローを終了する。これにより、プロジェクター１はスタンバイ状態に移行する。
【００６８】
以上説明したように、本実施形態のプロジェクター１によれば、以下の効果を得ることができる。
【００６９】
（１）本実施形態のプロジェクター１によれば、ＤＶＤメディアＭを排出するための操作、即ちイジェクトキー４０の操作がなされた場合に、制御部２０は、レンズカバー４を閉じることによって、開口部３から外部に投写される画像光の明るさを低減させている。このため、ＤＶＤメディアＭを排出しようとしているユーザーが、投写レンズ１３から投写される画像光によって眩しさを感じてしまうことが抑制される。
【００７０】
（２）本実施形態のプロジェクター１によれば、イジェクトキー４０の操作がなされた場合に、制御部２０は、照明部３５を点灯させて、ディスクスロット５の周辺を照明させるため、レンズカバー４を閉じた状況下であっても、ＤＶＤメディアＭの取り外し、及びその後の挿入を容易に行うことが可能となる。
【００７１】
（３）本実施形態のプロジェクター１によれば、イジェクトキー４０の操作がなされた場合に、制御部２０は、レンズカバー４を閉じて画像光の投写を遮蔽させるため、光源装置１１の明るさを調整することなく、外部に投写される画像光の明るさを十分に低減させることが可能となる。このため、本実施形態のように、明るさの調整を瞬間的に行うことが困難な放電型の光源ランプ１１ａを光源装置１１に用いた場合でも、外部に投写される画像光の明るさを瞬時に低減させることが可能となる。
【００７２】
（４）本実施形態のプロジェクター１によれば、レンズカバー４を閉じて、外部に投写される画像光の明るさを低減させている状態で、ＤＶＤメディアＭが挿入されると、制御部２０は、レンズカバー４を開いて、外部に投写される画像光の明るさを復帰させるため、新たに挿入されたＤＶＤメディアＭの画像を即座に鑑賞することが可能となり、利便性が向上する。
【００７３】
（５）本実施形態のプロジェクター１によれば、レンズカバー４を閉じて、外部に投写される画像光の明るさを低減させている状態で、ＤＶＤメディアＭの挿入が所定時間なされない場合には、光源装置１１を消灯させて、スタンバイ状態に移行するようにしているため、無駄な消費電力を抑制することが可能となる。
【００７４】
なお、本実施形態では、ディスクスロット５が記録媒体交換部に相当する。また、ＤＶＤメディアＭを排出するためのイジェクトキー４０の操作が排出操作に相当し、イジェクトキー４０の操作を検出する本体操作部２２、リモコン２３、及び操作信号受信部２４が排出操作検出部に相当する。また、ディスクスロット５にＤＶＤメディアＭを挿入する操作が挿入操作に相当し、ＤＶＤメディアＭの挿入を検出する挿入センサー２６が挿入操作検出部に相当する。
【００７５】
また、本実施形態では、投写レンズ１３の射出側に備えられているレンズカバー４によって外部への画像光の投写を遮蔽する構成を示したが、この構成に限定されず、例えば、投写レンズ１３の入射側に進入可能なカバー部材を設け、このカバー部材によって外部への画像光の投写を遮蔽するようにしてもよい。
【００７６】
また、本実施形態では、ステップＳ２０１で基準画像を投写する際には、黒色の無地画像、即ちすべての画素の光透過率を最小に設定した画像を基準画像とすることが望ましい。このようにすれば、投写レンズ１３から射出される光の量が低減されるため、レンズカバー４に強い光が照射されることによるレンズカバー４の熱的なダメージを抑制することが可能となる。
【００７７】
（第２実施形態）
次に、第２実施形態のプロジェクターについて説明する。なお、第１実施形態と同一の構成要素には同一の符号を付し、その詳細な説明は省略する。
【００７８】
本実施形態のプロジェクター１において、光源制御部３４（図２参照）は、光源装置１１の点灯及び消灯を切り替え可能であるとともに、光源装置１１に供給する電力を制御して、光源装置１１の明るさ（発光輝度）を調整することができる。本実施形態の光源制御部３４は、相対的に明るく画像の鑑賞に適した「高輝度」と、相対的に暗い「低輝度」の２段階に切り替え可能になっており、ＤＶＤメディアＭを再生する際には、高輝度に切り替えられるようになっている。これ以外の構成については、第１実施形態と同一である。
【００７９】
図５は、本実施形態のプロジェクター１においてイジェクトキー４０が操作された際の動作を示すフローチャートである。
図５に示すように、本実施形態においてイジェクトキー４０が操作された場合には、第１実施形態においてレンズカバー４を閉じる代わりに、光源制御部３４に指示をして、光源装置１１の明るさを高輝度から低輝度に切り替えさせる（ステップＳ２０２ａ）。そして、ステップＳ２０６でＤＶＤメディアＭが挿入された場合には、レンズカバー４を開く代わりに、光源制御部３４に指示をして、光源装置１１の明るさを低輝度から高輝度に復帰させる（ステップＳ２０８ａ）。これらのステップＳ２０２ａ，Ｓ２０８ａ以外のステップについては、第１実施形態（図４参照）と同一である。
【００８０】
以上説明したように、本実施形態のプロジェクター１によれば、第１実施形態の効果に加えて、以下の効果を得ることができる。
【００８１】
本実施形態のプロジェクター１によれば、イジェクトキー４０が操作された場合に、制御部２０は、光源装置１１の明るさを低減させることによって、外部に投写される画像光の明るさを低減させているため、ＤＶＤメディアＭを交換している間の消費電力を抑制することが可能となる。
【００８２】
なお、本実施形態においても、ステップＳ２０１で基準画像を投写する際には、黒色の無地画像、即ちすべての画素の光透過率を最小に設定した画像を基準画像とすることが望ましい。このようにすれば、投写レンズ１３から射出される光の量がさらに低減され、眩しさをより抑制することが可能となる。
【００８３】
また、イジェクトキー４０が操作された場合に、レンズカバー４を閉じる動作（ステップＳ２０２）と、光源装置１１の明るさを低減させる動作（ステップＳ２０２ａ）の双方を行うとともに、ＤＶＤメディアＭが挿入された場合に、レンズカバー４を開く動作（ステップＳ２０８）と、光源装置１１の明るさを復帰させる動作（ステップＳ２０８ａ）の双方を行うようにしてもよい。これによれば、レンズカバー４が閉じた状態での無駄な消費電力が抑制されるとともに、レンズカバー４に強い光が照射されることによるレンズカバー４の熱的なダメージを抑制することが可能となる。
【００８４】
また、瞬時点灯や瞬時消灯が可能な光源装置（例えば、ＬＥＤや半導体レーザー等の固体光源装置）を採用した場合には、イジェクトキー４０が操作された場合に、光源装置１１を消灯させる態様にすることも可能である。
【００８５】
（変形例）
また、上記実施形態は、以下のように変更してもよい。
【００８６】
上記実施形態では、ＤＶＤ再生部２５にＤＶＤメディアＭを装着する方式として、ディスクスロット５にＤＶＤメディアＭを直接挿入するスロットイン方式を採用しているが、ＤＶＤ再生部２５は、スロットイン方式に限定されず、例えば、ＤＶＤメディアＭをトレイに載置して搬送するトレイローディング方式を採用してもよい。
【００８７】
トレイローディング方式では、イジェクトキー４０が操作されると、ターンテーブルに装着されているＤＶＤメディアＭは、トレイに載置されて筐体２の外部に排出される。そして、トレイ上のＤＶＤメディアＭを適宜交換した後、再度イジェクトキー４０を操作するか、或いはトレイを押し入れる操作を行うと、新たなＤＶＤメディアＭが載置されたトレイは、筐体２の内部に収容され、ＤＶＤメディアＭはターンテーブルに装着される。このため、トレイローディング方式の場合には、トレイを収容するために筐体２に設けられた開口部が記録媒体交換部に相当し、筐体２内に収容された状態のトレイを引き出すためのイジェクトキー４０の操作が排出操作に相当する。なお、ここでは、ＤＶＤメディアＭが挿入されていない場合に空のトレイを排出させる操作も排出操作に含めるものとする。また、引き出された状態のトレイにＤＶＤメディアＭを載置して、このトレイを筐体２内に収容するためのイジェクトキー４０の操作、或いは、このトレイを押し入れる操作が挿入操作に相当する。つまり、トレイを引き出すための操作が行われた場合に、レンズカバー４を閉じたり、光源装置１１を低輝度にしたりして外部に射出される光の明るさを低減させるとともに、照明部３５を点灯させればよい。そして、トレイに載置されたＤＶＤメディアＭが筐体２内に収容された場合に、レンズカバー４を開いたり、光源装置１１を高輝度に切り替えたりして、外部に射出される光の明るさを復帰するとともに、照明部３５を消灯すればよい。
【００８８】
上記実施形態では、筐体２において、投写レンズ１３が露出する面とディスクスロット５が設けられている面とが同一面になっているが、同一方向を向いた面であれば必ずしも同一面に限られない。例えば、投写レンズ１３が露出する面と、ディスクスロット５が設けられている面との間に段差があってもよい。また、図６（ａ）、（ｂ）に示すように、筐体２が、ＤＶＤ再生部２５等を収容する第１の筐体２ａと、画像投写部１０等を収容する第２の筐体２ｂとに区分されるとともに、第１の筐体２ａに対して第２の筐体２ｂが回動して、投写方向を変更可能になっている構成にも適用可能である。このような構成であっても、投写レンズ１３が露出する面と、ディスクスロット５が設けられている面とを同一方向に向けて使用する場合（図６（ａ）参照）には、上記実施形態の効果と同一の効果を得ることができる。また、投写レンズ１３が露出する面や、ディスクスロット５が設けられる面は、平面である必要はなく、曲面であってもよい。
【００８９】
上記実施形態では、照明部３５がＬＥＤを備えて構成されているが、他の発光素子等を用いた構成にしてもよい。また、図７に示すように、投写レンズ１３から射出される光（画像光）の一部を、レンズカバー４の裏面等に設けた反射ミラー４１，４２等によってディスクスロット５の近傍の照明部３５まで導くようにしてもよい。この場合には、レンズカバー４を閉じる動作を行えば照明部３５による照明がなされることになるため、照明部３５を点灯させるだけのステップが不要になり、制御が簡単になる。また、外部に投写されない光を有効に活用することになるため、無駄な電力消費を抑制することが可能になる。
【００９０】
上記実施形態では、ＤＶＤメディアＭに記録されている情報の読み取りが可能なＤＶＤ再生部２５を備えた構成を示しているが、ＤＶＤ以外の光ディスク（例えば、ブルーレイディスク）、各種半導体メモリー、磁気ディスク、磁気テープ等、他の記録媒体に記録されている情報の読み取りが可能な構成であってもよい。
【００９１】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００９２】
１…プロジェクター、２…筐体、３…開口部、４…レンズカバー、５…ディスクスロット、１０…画像投写部、１１…光源装置、１１ａ…光源ランプ、１１ｂ…リフレクター、１２Ｒ，１２Ｇ，１２Ｂ…液晶ライトバルブ、１３…投写レンズ、２０…制御部、２０ａ…タイマー、２１…記憶部、２２…本体操作部、２３…リモコン、２４…操作信号受信部、２５…ＤＶＤ再生部、２６…挿入センサー、２７…メディア搬送部、２８…装着センサー、２９…データ読取部、３０…データ処理部、３１…画像処理部、３２…ライトバルブ駆動部、３３…電源回路、３４…光源制御部、３５…照明部、３６…カバー駆動部、４０…イジェクトキー、Ｍ…ＤＶＤメディア、ＳＣ…スクリーン。
【図１】
2011013522.tif 000003
【図２】
2011013522.tif 000004
【図３】
2011013522.tif 000005
【図４】
2011013522.tif 000006
【図５】
2011013522.tif 000007
【図６】
2011013522.tif 000008
【図７】
2011013522.tif 000009